(57)【要約】【課題】複数の振動周波数領域の振動問題を解消することができ、もって優れた防振性能を発揮することが可能なシャフト内挿型ダイナミックダンパーを提供する。また、このように複数の振動周波数領域の振動問題を解消することができるにもかかわらず、ダイナミックダンパーの構成要素がゴムおよびマスそれぞれ一つずつで良く、もって部品点数が少なくて済むダイナミックダンパーを提供する。【解決手段】プロペラシャフト等の回転軸１１の内周側に取り付けられるダイナミックダンパー１において、回転軸１１の内周側に取り付けられるゴム部３と、ゴム部３に取り付けられるマス２とを有し、ゴム部３に、二分割した回転軸１１の間に介装されるカップリングゴム部３ａが一体成形されている。【選択図】　図１
2004036826.tif 000002
【特許請求の範囲】
【請求項１】
プロペラシャフト等の回転軸（１１）の内周側に取り付けられるダイナミックダンパー（１）において、
前記回転軸（１１）の内周側に取り付けられるゴム部（３）と、前記ゴム部（３）に取り付けられるマス（２）とを有し、前記ゴム部（３）に、二分割した前記回転軸（１１）の間に介装されるカップリングゴム部（３ａ）を一体成形したことを特徴とするダイナミックダンパー。
【請求項２】
請求項１のダイナミックダンパーにおいて、
マス（２）の外周面（２ａ）に接着されるゴム部（３）に軸方向一方へ向けて円筒状のカップリングゴム部（３ａ）を一体成形し、前記円筒状のカップリングゴム（３ａ）を一対の分割シャフト（１２）（１３）の間に介装することを特徴とするダイナミックダンパー。
【発明の詳細な説明】
【０００１】
【発明の属する技術分野】
本発明は、防振技術に係るダンパーに係り、更に詳しくはプロペラシャフト等の回転軸の内周側に取り付けられるシャフト内挿型のダイナミックダンパーに関するものである。
【０００２】
【従来の技術】
従来から、図２に示すように、スリーブ５２と前記スリーブ５２の内周側に配置されるマス５３とをゴム部５４を介して連結してなり、前記スリーブ５２をプロペラシャフト５５の内周側に圧入することによってプロペラシャフト５５の中空部５６に装着されるシャフト内挿型のダイナミックダンパー５１が知られており、このダイナミックダンパー５１は、マス５３が振動してゴム部５４が弾性変形することにより減衰を発生させる構造となっている（特開２０００−２８３１３８公報参照）。
【０００３】
しかしながら、上記従来のダイナミックダンパー５１においては、その減衰可能な振動周波数領域が予め設定した一領域のみに限定されるために、防振性能が限られたものであるという改良すべき余地がある。
【０００４】
【発明が解決しようとする課題】
本発明は以上の点に鑑みて、複数の振動周波数領域の振動問題を解消することができ、もって優れた防振性能を発揮することが可能なシャフト内挿型のダイナミックダンパーを提供することを目的とする。
【０００５】
また併せて、このように複数の振動周波数領域の振動問題を解消することができるにもかかわらず、ダイナミックダンパーの構成要素がゴムおよびマスそれぞれ一つずつで良く、もって部品点数が少なくて済むダイナミックダンパーを提供することを目的とする。
【０００６】
【課題を解決するための手段】
上記目的を達成するため、本発明の請求項１によるダイナミックダンパーは、プロペラシャフト等の回転軸の内周側に取り付けられるダイナミックダンパーにおいて、前記回転軸の内周側に取り付けられるゴム部と、前記ゴム部に取り付けられるマスとを有し、前記ゴム部に、二分割した前記回転軸の間に介装されるカップリングゴム部を一体成形したことを特徴とするものである。
【０００７】
また、本発明の請求項２によるダイナミックダンパーは、上記した請求項１のダイナミックダンパーにおいて、マスの外周面に接着されるゴム部に軸方向一方へ向けて円筒状のカップリングゴム部を一体成形し、前記円筒状のカップリングゴムを一対の分割シャフトの間に介装することを特徴とするものである。
【０００８】
上記構成を備えた本発明の請求項１によるダイナミックダンパーにおいては、ゴム部およびマスによるダイナミックダンパー部が形成されるほかに、ゴム部にその一部として一体成形したカップリングゴム部が二分割した回転軸の間に介装されることにより、ここに弾性カップリング部が形成されることになる。したがって、前者のダイナミックダンパー部による防振効果と、後者の弾性カップリング部による防振効果とを互いに異なる振動周波数領域で発揮することが可能となる。
【０００９】
また、このダイナミックダンパーは、このようにダイナミックダンパー部による防振効果と、弾性カップリング部による防振効果とを互いに異なる振動周波数領域で発揮することが可能であるにもかかわらず、その構成要素が、回転軸の内周に取り付けられるとともにカップリングゴム部を一体成形したゴム部と、このゴム部に取り付けられるマスとの二つのみで良い。
【００１０】
その形状構成例としては、請求項２に記載したように、マスの外周面に接着されるゴム部に軸方向一方へ向けて円筒状のカップリングゴム部を一体成形するのが好適であり、この円筒状のカップリングゴムが一対の分割シャフトの間に介装されることになる。
【００１１】
尚、本件出願には、以下の技術的事項が含まれる。
【００１２】
すなわち、上記目的を達成するため、本件出願が提案する一のダイナミックダンパーは以下の内容を備えている。
【００１３】
▲１▼　プロペラシャフトの管を２分割にしてその間にトルクを伝達するためのゴムに加硫接着によりダイナミックダンパーを付けている機構を有していることを特徴としている。
▲２▼　捩り共振を下げるために管を２分割にしてその間にゴムを介してトルクを伝達する構造に加えて、その介在するゴムと連続するゴムとマスにより構成されるダイナミックダンパーを有するプロペラシャフト構造。
▲３▼　１つの弾性体でカップリングとダイナミックダンパーの機能を満足させる▲４▼　ゴム入り２分割プロペラシャフトのカップリング効果とダイナミックダンパーにより２つ以上の異なる周波数域の振動問題を低減させることができ、２分割プロペラシャフトのゴム材とダイナミックダンパーのゴム材を一体化させることにより部品点数を減らすことができる。
▲５▼　尚、上記ゴム構成分は、全部品一体成形でも、ダイナミックダンパー成形後プロペラシャフトに嵌合または２次加硫接着でも可とする。
【００１４】
【発明の実施の形態】
つぎに本発明の実施例を図面にしたがって説明する。
【００１５】
図１は、本発明の実施例に係るダイナミックダンパーの装着状態の断面を示している。
【００１６】
当該実施例に係るダイナミックダンパー１およびこれを装着する回転軸であるプロペラシャフト１１はそれぞれ、以下のように構成されている。
【００１７】
すなわち先ず、プロペラシャフト１１は、図示するように軸方向に二分割されて、図上左側の分割シャフト１２と図上右側の今一つの分割シャフト１３とを有しており、図上左側の分割シャフト１２の端部１２ａが図上右側の分割シャフト１３の端部１３ａよりも大径に形成されて、図上左側の分割シャフト１２の端部１２ａの内周側に図上右側の分割シャフト１３の端部１３ａが同軸上に差し込まれている。分割シャフト１２，１３は何れも中空状である。図上左側の分割シャフト１２の端部１２ａの内径寸法は図上右側の分割シャフト１３の端部１３ａの外径寸法よりも大きく形成されており、よって両者１２，１３は直接には非接触であり、後記するようにダイナミックダンパー１のカップリングゴム部３ａが介装されることにより両者１２，１３が弾性的に連結されている。
【００１８】
ダイナミックダンパー１は、上記プロペラシャフト１１の中空部１４に同軸上に配置されるマス（質量体とも称する）２と、このマス２の外周に加硫接着されたゴム部（弾性体とも称する）３とを有しており、このゴム部３に、上記両分割シャフト１２，１３の端部１２ａ，１３ａ間に介装されるカップリングゴム部３ａが一体成形されている。
【００１９】
マス２は、所定の慣性質量を備えるよう金属等所定の重量体によって形成されており、その円筒面状の外周面２ａにゴム部３が環状に加硫接着されている。ゴム部３は所定のバネ定数を備えるよう所定のゴム状弾性体によって環状に形成されており、この環状のゴム部３の外周部に軸方向一方へ向けてカップリングゴム部３ａが円筒状のものとして一体成形されている。ゴム部３はその外周部において左側の分割シャフト１２の内周面に加硫接着されており、カップリングゴム部３ａはその外周部において左側の分割シャフト１２の端部１２ａの内周面に加硫接着されるとともに、その内周部において右側の分割シャフト１３の端部１３ａの外周面に加硫接着されている。
【００２０】
上記構成のダイナミックダンパー１においては、マス２およびゴム部３によってダイナミックダンパー部４が形成されるとともに、ゴム部３にその一部として一体成形した円筒状のカップリングゴム部３ａが両分割シャフト１２，１３の端部１２ａ，１３ａ間に径方向に介装されることによって弾性カップリング部５が形成されている。したがって、前者のダイナミックダンパー部４による防振効果と、後者の弾性カップリング部５による防振効果とが互いに異なる周波数領域で発揮されることにより、一つのダイナミックダンパー１で複数の周波数領域における振動問題を解消することができる。
【００２１】
また、このように一つのダイナミックダンパー１で複数の周波数領域における振動問題を解消することができるにもかかわらず、その構成部品がマス２とゴム部３との二つのみで良いために、構成部品数を少なく抑えることができる。
【００２２】
尚、上記実施例では、カップリングゴム部３ａを含むゴム部３をマス２および分割シャフト１２，１３に加硫接着することにより、マス２、ゴム部３および分割シャフト１２，１３よりなる一体の加硫成形品を成形することとしたが、マス２およびゴム部３よりなるダイナミックダンパー１を単独で成形してからこれをシャフト１２，１３に後付けするようにしても良い。後付けの方法としては、嵌合、接着、２次加硫接着等が考えられる。
【００２３】
【発明の効果】
本発明は、以下の効果を奏する。
【００２４】
すなわち、上記構成を備えた本発明の請求項１によるダイナミックダンパーにおいては、ゴム部およびマスによってダイナミックダンパー部が形成されるとともに、ゴム部にその一部として一体成形したカップリングゴム部が二分割した回転軸間に介装されることにより弾性カップリング部が別途形成されるために、前者のダイナミックダンパー部による防振効果と、後者の弾性カップリング部による防振効果とを互いに異なる振動周波数領域で発揮することができる。したがって、一つのダイナミックダンパーで複数の振動周波数領域における振動問題を解消することができる。
【００２５】
また、このように一つのダイナミックダンパーで複数の振動周波数領域における振動問題を解消することができるにもかかわらず、その構成部品がゴム部とマスとの二つのみで良いために、ダイナミックダンパーとしての構成部品数を最小限に抑えることができる。
【００２６】
またこれに加えて、上記構成を備えた本発明の請求項２によるダイナミックダンパーのように、マスの外周面に接着されるゴム部に軸方向一方へ向けて円筒状のカップリングゴム部を一体成形するようにすると、その形状構成がアンダーカット部を有さず比較的簡単であるために、これを比較的容易に製造することができる。
【図面の簡単な説明】
【図１】本発明の実施例に係るダイナミックダンパーの装着状態を示す断面図
【図２】従来例に係るダイナミックダンパーの装着状態を示す断面図
【符号の説明】
１　ダイナミックダンパー
２　マス
２ａ　外周面
３　ゴム部
３ａ　カップリングゴム部
４　ダイナミックダンパー部
５　弾性カップリング部
１１　プロペラシャフト（回転軸）
１２，１３　分割シャフト
１２ａ，１３ａ　端部
１４　中空部
【図１】
2004036826.tif 000003
【図２】
2004036826.tif 000004